(57)【要約】【課題】電子機器の装着時に必要な押込力を軽減し、耐熱樹脂の使用量を低減した電子機器用充電器端子構造を提供することを目的とする。【解決手段】電子機器用充電器において、充電器ケースの電子機器装着部に充電器側端子突出用開口部と、押込みボタン突出用開口部とを備え、基板取付ベース部材の略中央部に設けた支点軸部をシーソー回動中心にして、前記充電器ケース内に当該基板取付ベース部材を配設し、前記基板取付ベース部材の一方の端部近傍に、前記充電器側端子突出用開口部に臨むように充電器側端子を配設し、他方の端部近傍に、前記押込みボタン突出用開口部に臨むように押込みボタンを配設し、電子機器未装着時には充電器側端子が充電器ケース内に収納するように、前記基板取付ベース部材をバネ付勢した。【選択図】  図１
2005168105.tif 000002
【特許請求の範囲】
【請求項１】
電子機器用充電器において、充電器ケースの電子機器装着部に充電器側端子突出用開口部と、押込みボタン突出用開口部とを備え、基板取付ベース部材の略中央部に設けた支点軸部をシーソー回動中心にして、前記充電器ケース内に当該基板取付ベース部材を配設し、前記基板取付ベース部材の一方の端部近傍に、前記充電器側端子突出用開口部に臨むように充電器側端子を配設し、他方の端部近傍に、前記押込みボタン突出用開口部に臨むように押込みボタンを配設し、電子機器未装着時には充電器側端子が充電器ケース内に収納するように、前記基板取付ベース部材をバネ付勢したことを特徴とする充電器の端子構造。
【請求項２】
前記基板取付ベース部材を耐熱性樹脂で構成したことを特徴とする請求項１記載の充電器の端子構造。
【請求項３】
前記基板取付ベース部材に取り付けた電子基板と充電器ケース側との間を可撓性配線部材にて配線接続したことを特徴とする請求項１又は２記載の充電器の端子構造。
【請求項４】
充電器側端子に充電端子と信号端子とを備えたことを特徴とする請求項１〜請求項３のいずれかに記載の充電器の端子構造。
【請求項５】
前記電子機器の側部に当接するように鉤状のフック部を充電器ケース側に備え、電子機器が横方向にスライドすることで、充電器側端子にて電子機器側端子が擦られるようにしたことを特徴とする請求項１記載の充電器の端子構造。
【発明の詳細な説明】
【技術分野】
【０００１】
本発明は、携帯電話機等の電子機器用充電器の端子構造に係る。
【背景技術】
【０００２】
携帯電話機等、各種電子機器用の充電器では、充電に供しない時には端子をケース内に収納し、充電時に電子機器側の端子と充電器側の端子とを接続する為に端子上昇機構を設けている。
この端子上昇機構を動作させるために、これまでは充電器ケースより突出する充電機側端子と、携帯電話器等を充電器に装着することで押し込む押込みボタンとを設け、携帯電話機をセットする際の押込みボタンの押し込む動作を利用して充電機側端子を突出させていた。
例えば、図７（イ）に従来構造の充電器の断面図を示し、図７（ロ）に携帯電話機を装着した状態を示す。
この充電器１１０では、携帯電話機の未装着時には押込みボタン１３２が開口部から突出するようにアーム１３８を介してバネ１３７によりバネ付勢されている。
図７（イ）に示す携帯電話機の未装着時には、充電機側端子１３３はアーム１３８の端部１３８ａが充電機側端子１３３側へ移動して、トーションバネ１３５を介して設けた充電機側端子１３３部分を押圧し、充電器ケース１２０内に充電機側端子１３３を収納するように、バネ１３７にてバネ付勢されている。
図７（ロ）に示すように、充電器に携帯電話機１０１が装着されると、押込みボタン１３２が押し込まれてアーム１３８の端部１３８ａが移動して充電器側端子１３３を解放することで開口部１２３から充電機側端子１３３が突出して携帯電話機側端子１０３と導通する。
よって、このバネ１３７は、携帯電話機を装着していない時には充電機側端子を収納するためにトーションバネ１３５を押圧する力と、押込みボタン１３２を突出させる力とを加えた強力なバネとなっていた。
このため、携帯電話機でこの押込みボタンを押し込む時には、強力なバネの力に抗しながら携帯電話機を押し込むこととなり、押込力が大きくなっていた。
本出願人は特願２００３−３４４６１３号において、スイングボタンを携帯電話で押し込むことでロッドを動かし、このロッドでスイベルアームを揺動させ、充電端子を携帯電話機の充電端子をこするようにセルフクリーニング動作させつつ突出させる技術を出願しているが、この技術においても充電端子を突出させるバネと、スイングボタンを突出させるためにロッドに取り付けたバネの２つのバネを使用していた。
また、携帯電話機の機能向上に伴って、充電器においては充電用コネクタのみならずＵＳＢ（Universal Serial Bus）コネクタをも接続可能とするようになり、そのため充電器内部の基板における部品量と配線量も増加し、その発熱量も増加している。
また、充電端子の他に信号端子が追加されると、その分だけ全体として総端子の接続力が大きくなり、これに耐えられるだけの端子支持部材の強度、特に、充電時の発熱に対する高耐熱強度が要求されるようになってきている。
【０００３】
【特許文献１】特願２００３−３４４６１３号
【発明の開示】
【発明が解決しようとする課題】
【０００４】
本発明は上記技術的課題に鑑みて、電子機器の装着時に必要な押込力を軽減し、耐熱樹脂の使用量を低減した電子機器用充電器端子構造を提供することを目的とする。
【課題を解決するための手段】
【０００５】
本発明の技術的要旨は、電子機器用充電器において、充電器ケースの電子機器装着部に充電器側端子突出用開口部と、押込みボタン突出用開口部とを備え、基板取付ベース部材の略中央部に設けた支点軸部をシーソー回動中心にして、前記充電器ケース内に当該基板取付ベース部材を配設し、前記基板取付ベース部材の一方の端部近傍に、前記充電器側端子突出用開口部に臨むように充電器側端子を配設し、他方の端部近傍に、前記押込みボタン突出用開口部に臨むように押込みボタンを配設し、電子機器未装着時には充電器側端子が充電器ケース内に収納するように、前記基板取付ベース部材をバネ付勢した点である。
【０００６】
このように、充電器ケースの開口部から外部に上端を突出させた押込みボタンに基板取付ベース部材を介して充電端子や信号端子等の充電器側端子を連結し、この充電機側端子の接点部（先端）を充電器ケースの開口部に臨ませたので充電器に電子機器を未装着の場合には充電機側端子の接点部を充電器ケース内に収納出来、電子機器をこの充電器に装着しようとすると、はじめて電子機器のケースにて押込みボタンが押圧されることになる。
電子機器として携帯電話機を例に挙げると充電器の携帯電話機装着部へ装着すると、この押込みボタンが携帯電話機により押し込まれる。
押込みボタンは基板取付ベース部材の一端に設けられているが、基板取付ベース部材は支点軸部を支点としたシーソー揺動を可能としてケース内に取り付けられ、押込みボタンの位置の支点軸部に対する反対側には充電機側端子が設けられていることから、押込みボタンの押込動作に伴って充電機側端子は逆に突出動作する。
【０００７】
充電機側端子はトーションバネ等の弾性体を介して取り付けるのが接続性の点でよい。  このように充電機側端子と押込みボタンを、基板取付ベース部材の支点軸部を間に配置した両側に設け、そして支点軸部は押込みボタンと充電器側端子との中心位置付近に配置することで、容易にシーソーのように突出状態と収納状態が入れ替え可能となる。
この支点軸部の位置は、基板取付ベース部材の押込みボタン側と充電器側端子側とが釣り合う場合に、基板取付ベース部材を付勢するバネの力を最も弱くできるが、バネの力が適当であればつり合わせる必要はない。
なお、電子機器を未装着のときは充電器側端子はケース開口部内に収納されるが、押込みボタン側は基板取付ベース部材をシーソー回転させるのが目的であり、電子機器装着時に完全にケース内に収納される必要はない。
また、支点軸部は突起部やシャフトと軸受けで構成されるが、突起部やシャフトと軸受けは基板取付ベース部材と充電器ケースのいずれ側に設けてもよい。
ここで、基板取付ベース部材は充電機側端子を収納し、押込みボタンを突出させるように支点軸部を軸としてバネ付勢されている。
そして、押込みボタンは携帯電話機を携帯電話機装着部に装着する際に、携帯電話機ケースにあたる位置に設けることで、携帯電話機装着に伴い押込みボタン開口部内に向けて押し込まれる。
一方充電器側端子は携帯電話機を携帯電話機装着部に装着すると、押込みボタンが押し込まれることで基板取り付けベース部材の押込みボタン側が下降し、充電機側端子の方が上昇するため充電機側端子開口部より突出する。
例えば携帯電話機用充電器において、この充電端子や信号端子等の充電機側端子は、電子機器側端子である携帯電話機の受電端子や信号端子等の携帯電話機側端子に対応する位置に設けることで、携帯電話機装着に伴い充電機側端子と携帯電話機側端子とが当接し導通することとなる。
【０００８】
請求項５に記載の発明においては、当該電子機器の側部に当接するように鉤状のフック部を充電器ケース側に備え、充電器ケースの電子機器装着部に電子機器を臨ませ、さらに電子機器を装着方向に押し込むと、電子機器が当該鉤状のフックに押されるように横方向にスライドすることで、充電器側端子にて電子機器側端子が擦られるようにしたものである。
このフックの鉤状の鉤部は携帯電話機の端子方向に向いて形成され、その長さは、携帯電話機をずらして係止する際のずらし動作により、携帯電話側端子を突出状態の充電器側端子で充分に擦る長さとなっている。
具体的には携帯電話機側端子長さの３分の１付近の長さとするとよい。
携帯電話機を取り外すと、バネの力により押込みボタンは突出し、充電器側端子は収納される。
このように、携帯電話機の未装着時に押込みボタンを突出させた状態とし、充電器側端子を収納するように基板取り付けベース部材を１つのトーションバネで付勢している。
基板取付ベース部材を回転復帰させるための弾性力を付加するバネは、この１つのトーションバネのみで、このバネは軸支された基板取付ベース部材を一定の位置に付勢するだけであることから弱い力しか必要とされない。
従って押込みボタンの押込動作を非常に小さい押込力で行え、携帯電話機を装着する際の初期動作荷重を軽減させることが出来る。
【０００９】
回路基板で熱が発生しても基板取付ベース部材から充電器ケースへ熱が伝わり難く、また充電器側端子は基板取付ベースに取り付けられているので、基板取付ベース部材のみを耐熱性にすれば良く、充電器ケース側は耐熱性が要求されなくなり安価なグレードの樹脂で対応できる。
このように基板取付ベース部材に充電器側端子と押込みボタン部を形成したことにより、この基板取付ベース部をユニット化出来たのでケース側とは独立して設計出来る。
従って、充電端子を取り付けた基板取付ベース部材のみを耐熱樹脂とすることで発生する熱に対応できる。
【００１０】
基板取付ベース部材に設けた回路基板と充電器ケース側の配線との間をＦＦＣ（Flexible Flat Cable）やＦＰＣ（Flexible Printed Circit又はFlexible Printed Cable）等の可撓性配線部材にて配線すると、基板取付ベース部材が揺動を繰り返しても、基板取付ベース部材の回路基板と充電器ケースに取り付けた配線との間における繰り返し曲げ負荷による断線を防止出来る。
【発明の効果】
【００１１】
本発明においては、シーソー構造を採用し、シーソーの役割をする基板取付ベース部材の一端に設けた押込みボタンの没入動作に対応して、他端に設けた充電器側端子が突出するようにしたので、押込みボタンの初期動作荷重が非常に小さくなった。
また、１つのバネ付勢で充電器側端子の突出及び収納が可能になったことも初期動作荷重軽減に寄与している。
この配置は基板取付ベース部材の充電器側端子と押込みボタンとの中心位置付近に支点軸部を配置するか、充電器側端子側と押込みボタン側と重量が釣り合うようにすると更にバネの力を弱く出来る。
【００１２】
初期動作荷重が軽減されていることから、電子機器を充電器に装着する際に必要なロック部分の強度も弱くでき、ロック部分を構成するフック部で電子機器装着時に横方向にスライドするようにするとセルフクリーニング量を確保できる。
また、構造がシンプルとなっている。
【００１３】
充電端子が２極からなる従来の充電器では、１つの端子接続に要求される接続力の約２倍に耐えられるように、充電器ケース等端子支持側の強度を確保すればよかった。
しかし、充電端子の他に信号端子も追加されるようになり、例えば３つの信号端子が追加されると充電端子と合わせて計５つの端子接続に耐えられるだけの端子支持側強度が要求されるようになる。
従って、このような場合に端子を充電器の樹脂製ケースに支持させると、充電時に発生する熱により強度低下をきたし、変形が生じる恐れもあったのに対し、本発明においてはシーソー構造を採用した基板取付ベース部材にこの端子を取り付けたので、この基板取付ベース部材のみ耐熱強度を確保するように設計すれば良く、充電器ケースに直接熱が伝導することはなくなり、充電器ケースの耐熱性に対する設計自由度が高くなる。
【発明を実施するための最良の形態】
【００１４】
本発明に係る電子機器用充電器端子構造を適用した例として携帯電話機用充電器を例に説明する。
図１（イ）は携帯電話機用充電器の斜視図を示し、図１（ロ）はＡ−Ａ線断面図を示す。
充電器１０の充電器ケース２０内には基板取り付けベース部材３０が取り付けられ、この基板取り付けベース部材３０には支点軸部３１が設けられ、この支点軸部３１がケース２０内側の側面に軸支されることで、基板取付ベース部材３０が支点軸部３１を軸としてシーソーのように揺動可能に取り付けられている。
基板取付ベース部材３０は耐熱樹脂で成形され、回路基板３６が取り付けられている。
また、充電器ケース２０内には接続コネクタ４１、４２を設けたコネクタベース部４０と、携帯電話機を係止するためのフック２５が納められ、フック２５には鉤部２５ａが形成されている。
図２（イ）にこれらの基板取付ベース部材とコネクタベース部とフックとを、その側面から見た配置図を示し、図２（ロ）にそれらの斜視図を示す。
図２（ロ）下部には回路基板を取り出した状態を参考に示す。
基板取付ベース部材３０の支点軸部３１を回動中心に一方の端部付近には押込みボタン３２が配設されている。
押込みボタン３２は図１（ロ）の断面図に示すように基板取付ベース部材３０上に設けられている突起３０ａに当接配設されている。
基板取付ベース部材３０の支点軸部３１を回動中心にして押込みボタン３２の反対側には、充電器側端子３３、３４が設けられている。
充電器側端子はトーションバネ３５を介して回路基板３６上にハンダ等で取り付けられ、充電端子３３と信号端子３４で構成されている。
コネクタベース部４０には接続コネクタ（ＵＳＢコネクタ）４１と接続コネクタ４２が備えられ、その上方にはフック２５が配置されている。
なお、フックの鈎部２５ａはケース側のフック開口部２４より外部に突出している。
図１（イ）、図１（ロ）において、ケース上面の携帯電話機を充電のため装着する携帯電話機装着部（電子機器装着部）２１の押込みボタン３２に対応する位置には押込みボタン突出用開口部２２が設けられ、また、充電器側端子３３、３４に対応する位置には充電器側端子突出用開口部２３が設けられている。
これにより、基板取り付けベース部材３０を支点軸３１を支点として揺動させると、押込みボタン３２と充電器側端子３３、３４の一方が開口部より外に突出すると他方はケース内に収納されるように作動する。
【００１５】
図１（ロ）及び図２に示すように、基板取付ベース部材３０にはトーションバネ３７が取り付けられ、携帯電話機の未装着時には充電器側端子３３、３４をケース２０内に収納するように基板取付ベース部材をバネ付勢している。
図２（ロ）ではわかりやすくするためにトーションバネ３７を透視図として表してある。
携帯電話機を装着する際には、携帯電話機が突出している押込みボタン３２を開口部２２内へ押込、それに伴い充電器側端子３３、３４が携帯電話機側端子に向けて突出して、その先端の接点部３３ａ、３４ａが当接する。
このように、携帯電話機が未装着の場合には充電器側端子の接点部は充電器ケース内に収納されている。
携帯電話機の充電器への装着に伴う充電器側端子の動作を図３に示す要部拡大断面図にて説明する。
図はわかりやすくするため簡略化し、支点軸部は透視図として表してある。
図３（イ）は携帯電話機装着前の状態を示し、図３（ロ）は携帯電話機を装着進行状態を示し、図３（ハ）は携帯電話機を装着完了した状態を示す。
図３（イ）に示すように、押込みボタン３２は基板取付ベース部材３０の一端に設けられ、基板取付ベース部材３０の支点軸部３１を回動中心としてその反対側に充電器側端子３３、３４が設けられている。
携帯電話機１はその凸部２ａを充電器１０の爪部２６にかけて位置決めした上で、携帯電話機装着部２１へ向けて押し込むこととなる。
図３（ロ）に押込みボタン３２を携帯電話機１にて押し込んでいる進行状態を示す。
携帯電話機１はその凸部２ａを充電器の爪部２６にかけることで端子３が位置決めされ、携帯電話機のケース２により押込みボタン３２が押し込まれる。
この押し込みに伴い基板取付ベース部材３０が回動して充電器側端子３３、３４が上昇し、充電器側端子開口部２３より携帯電話機側端子３へ向けて突出する。
押込みボタン３２を押し込み、充電器側端子３３を上昇させる初期動作荷重は、基板取付ベース部材３０をその長手方向の略中心位置に設けられた支点軸部３１を中心に回転させて充電器側端子３３を突出させるだけなので、トーションバネ３７に抗するだけの力で充分であり非常に軽く形成なる。
この基板取付ベース部材に回転復帰力を与えるバネは、図３に示す例は、充電器ケース２０の内側下面２０ａ側に延ばし、充電器ケース内側下面２０ａと基板取付ベース部材３０との間に弾性力を持たせたものであるが、充電器ケース内側上面２０ｂ側に延ばして充電器内側上面２０ｂと基板取付ベース部材３０との間に弾性力を持たせてもよく、突起状の軸をケース側に設けて基板取付ベース部材に設けた穴に嵌装し、この軸にバネを取り付ける構造でも良い。
充電器側端子３３は携帯電話側端子３に対応する位置に設けられていることから、図４（イ）に充電器側端子付近の拡大図を示すように携帯電話機を充電器に装着しようとして押込みボタンを押圧すると充電器側端子３３の接点部３３ａが携帯電話機側端子３に接触した状態になる。
この状態から押込みボタンを押し込んだまま、携帯電話機１を充電器１０の爪部２６側へずらす。
これにより図６に示すように、フック鉤部２５ａに携帯電話機１の凹部２ｂが係止する。
フック鉤部２５ａに凹部２ｂを係止するために携帯電話機１を爪部２６側へずらした状態の拡大図を図４（ロ）に示す。
図４は携帯電話機側端子のずれがわかりやすくなるように、ずれを大きく描いてある。
フック鉤部を係止するために、携帯電話機１をずらす前の状態である図４（イ）の状態から、図４（ロ）に示すように携帯電話機１をずらすことで携帯電話機の凹部にフック鉤部を係止することになる。
このとき、充電器側端子３３、３４の接点部３３ａ、３４ａはバネ付勢により携帯電話機側端子３へ押圧されているため、携帯電話機側端子３は接点部３３ａ、３４ａにより、ｔの長さだけ擦られた状態で移動するセルフクリーニングを行うこととなる。
このセルフクリーニングにより携帯電話器側端子３表面と充電器側端子３３、３４の接点部３３ａ、３４ａ表面の汚れや絶縁性皮膜形成による接触不良は防止される。
セルフクリーニングは携帯電話機により押込みボタンを押し込みながら行うが、押込みボタンを押し込む初期動作荷重が非常に軽くなっているため、セルフクリーニングは軽い力で行うことができる。
図６においてフックの鉤部２５ａは装着する携帯電話側の端子３方向に向いて形成され、その長さは、携帯電話をずらして係止する際に、このずらし動作により携帯電話機側端子３を突出状態にある充電器側端子３３ａ、３４ａで充分に擦り、なおかつ、充電器側端子３３ａ、３４ａが携帯電話機のケース部分と干渉しない長さとなっている。
携帯電話機をフックに係止した充電器への装着状態では図４（イ）及び図３（ハ）に示す状態となる。
図３（ハ）の状態から、携帯電話機を取り外すとトーションバネ３７の力により基板取付ベース部材３０が回転し、押込みボタン３２が突出して充電器側端子３３、３４は収納され、図３（イ）に示す携帯電話装着前の状態に復帰する。
このように、充電器側端子と押込みボタンは、基板取付ベース部材の両側に設けられ、それらの開口部に対してシーソーのように交互に突出状態と収納状態が入れ替わるシンプルな構造となっている。
そして、携帯電話機の非装着時における充電器側端子と押込みボタンの位置決めを、ほぼそれらの中心位置を軸として、１つのバネでバネ付勢しておこなっていることから、押込みボタンの押込動作を行うために必要な力は非常に軽く出来、これに伴い充電器の可動部に必要な強度も軽減出来、コスト低減の効果がある。
【００１６】
図５（イ）に基板取付ベース部材とコネクタベース部とフックを上方から見た配置を示し、図５（ロ）に下方から見た配置を示す。
基板取付ベース部材３０には回路基板３６が取り付けられ、この回路に通電することにより熱が発生する。
そのため基板取付ベース部材３０は耐熱性樹脂で形成されているが、発熱する回路基板３６は基板取付ベース部材３０に設けられ、基板取付ベース部材３０と充電器ケースは支点軸部３１を介して取り付けているため充電器ケースには回路基板３６の熱が直接伝わることはなく、充電器ケースは耐熱性とする必要がない。
このように、高価な耐熱性樹脂を充電器ケースに使用しなくても済むことからコスト低減の効果がある。
また、基板取り付けベース部材に設けた回路基板３６と充電器ケース側のコネクタベース部４０に設けられている配線との間の配線はＦＦＣ４３にて連結されている。
このため、携帯電話機の充電のために基板取付ベース部材３０が繰り返し揺動し、基板取付ベース部材３０の回路基板３６とコネクタベース部４０の配線との間の配線に繰り返し曲げ負荷が加えられても、断線は防止される。
【図面の簡単な説明】
【００１７】
【図１】（イ）本発明に係る充電器端子構造を適用した携帯電話機用充電器の外観斜視図を示す。（ロ）Ａ−Ａ線断面図を示す。
【図２】（イ）基板取付ベース部材とフック部とコネクタベース部の配置の側面図を示す。（ロ）基板取付ベース部材とフック部とコネクタベース部の配置の斜視図を示す。
【図３】充電器に携帯電話機を装着する際の充電器側端子の動作を表す側面から見た要部透過図で（イ）は携帯電話機の装着前を、（ロ）は携帯電話機を装着進行状態を（ハ）は携帯電話機を装着完了状態を示す。
【図４】（イ）は充電器側端子付近の拡大図で携帯電話機をずらす前の状態を示し、（ロ）は充電器側端子付近の拡大図で携帯電話機をずらした状態を示す。
【図５】（イ）基板取付ベース部材とフック部とコネクタベース部の配置の上面図を示す。（ロ）基板取付ベース部材とフック部とコネクタベース部の配置の下面図を示す。
【図６】携帯電話機装着状態の断面図を示す。
【図７】（イ）従来の充電器例を示す。（ロ）従来の充電器に携帯電話機を装着した状態を示す。
【符号の説明】
【００１８】
１      携帯電話機
２      携帯電話機ケース
２ａ    携帯電話機凸部
２ｂ    携帯電話機凹部
３      携帯電話機側端子
１０    携帯電話機用充電器（電子機器用充電器）
２０    充電器ケース
２０ａ  充電器ケース内側下面
２０ｂ  充電器ケース内側上面
２１    充電器ケース携帯電話機装着部（充電器ケース電子機器装着部）
２２    押込みボタン突出用開口部
２３    充電器側端子突出用開口部
２４    フック開口部
２５    フック
２５ａ  フック鉤部
２６    爪部
３０    基板取り付けベース部材
３０ａ  基板取り付けベース部材の押込みボタン当接用突起部
３１    支点軸部
３２    押込みボタン
３３    充電器側端子（充電端子）
３３ａ  充電器側端子接点部
３４    充電器側端子（信号端子）
３４ａ  充電器側端子接点部
３５    充電器側端子トーションバネ
３６    回路基板
３７    トーションバネ
４０    コネクタベース部材
４１    接続コネクタ
４２    接続コネクタ（ＵＳＢ）
４３    ＦＦＣ
【図１】
2005168105.tif 000003
【図２】
2005168105.tif 000004
【図３】
2005168105.tif 000005
【図４】
2005168105.tif 000006
【図５】
2005168105.tif 000007
【図６】
2005168105.tif 000008
【図７】
2005168105.tif 000009